(57)【要約】      （修正有）【課題】耳殻周囲の経穴を刺激し、手軽に美容効果を得ることのできる美容機器を提供する。【解決手段】耳殻１００の周囲を回り込んで耳殻１００に着脱可能に装着されるフック部１１と、フック部１１に設けられ、耳殻１００の周囲の経穴を刺激する磁気刺激部１８，１９と、を備えていることを特徴とする。フック部を耳殻に装着した状態において、磁気刺激部から発生する磁界が耳殻周囲の経穴に作用することで、経穴に対して磁気等による刺激が与えられることにより、例えば血流促進によるリフトアップ等の美容効果を得ることができる。【選択図】図１
2017000176.tif 000002
【特許請求の範囲】
【請求項１】
耳殻の周囲を回り込んで前記耳殻に着脱可能に装着されるフック部と、
前記フック部に設けられ、前記耳殻の周囲の経穴を刺激する磁気刺激部と、を備えていることを特徴とする美容機器。
【請求項２】
前記磁気刺激部は、
前記フック部において前記耳殻の前方に位置する部分に設けられ、前記経穴の聴会を刺激する第１磁気刺激部と、
前記フック部において前記耳殻の後方に位置する部分に設けられ、前記経穴の完骨を刺激する第２磁気刺激部と、を備えていることを特徴とする請求項１に記載の美容機器。
【請求項３】
前記フック部のうち、前記磁気刺激部が設けられている部分には、前記フック部を前記耳殻に装着した状態で使用者側に向かって突出する突起部が設けられていることを特徴とする請求項１又は請求項２に記載の美容機器。
【請求項４】
前記フック部は、変形可能に構成されていることを特徴とする請求項１から請求項３の何れか１項に記載の美容機器。
【請求項５】
前記フック部には、イヤホンを着脱可能に保持するイヤホン保持部が設けられていることを特徴とする請求項１から請求項４の何れか１項に記載の美容機器。
【発明の詳細な説明】
【技術分野】
【０００１】
本発明は、美容機器に関する。
【背景技術】
【０００２】
人体の各所に存在する経穴（ツボ）を刺激することにより、血流改善によるリフトアップ等の美容効果が得られることが知られている。また、近時では、上述の美容効果を手軽に得るために、使用者自身で経穴を刺激するための種々の美容機器が流通している。
【０００３】
ここで、特許文献１には、磁石等のツボ刺激物質を備えたイヤホンが開示されている。この構成によれば、イヤホンを外耳道内に装着するだけで、ツボ刺激物質によって外耳道内の経穴に対して刺激が与えられる。これにより、ウォーキングやランニング、家事等において音楽を聴きながら経穴を刺激する、いわゆる「ながら美容」が可能とされている。
【先行技術文献】
【特許文献】
【０００４】
【特許文献１】実用新案登録第３１１３８０３号公報
【発明の概要】
【発明が解決しようとする課題】
【０００５】
しかしながら、特許文献１の構成にあっては、ツボ刺激物質がイヤホン自体に設けられているため、外耳道内の経穴しか刺激することができず、耳殻周囲の経穴を刺激することが難しい。
また、イヤホンを使用しない場合には、経穴を刺激することができず、経穴を刺激できる機会や時間が限られる。
【０００６】
そこで、本発明は、上記事情に鑑みたものであって、耳殻周囲の経穴を刺激し、手軽に美容効果を得ることのできる美容機器を提供することである。
【課題を解決するための手段】
【０００７】
上記の課題を解決するため、本発明に係る美容機器は、耳殻の周囲を回り込んで前記耳殻に着脱可能に装着されるフック部と、前記フック部に設けられ、前記耳殻の周囲の経穴を刺激する磁気刺激部と、を備えていることを特徴としている。
【０００８】
この構成によれば、フック部を耳殻に装着した状態において、磁気刺激部から発生する磁界が耳殻周囲の経穴に作用することで、経穴に対して磁気等による刺激が与えられる。これにより、例えば血流促進によるリフトアップ等の美容効果を得ることができる。
特に、フック部を耳殻に装着するのみで、経穴を刺激することができるので、いわゆる「ながら美容」を手軽に行うことができる。
また、ツボ刺激物質がイヤホン自体に設けられた従来の構成と異なり、機会や時間にとらわれることなく美容効果を得ることができる。
【０００９】
また、本発明に係る美容機器において、前記磁気刺激部は、前記フック部において前記耳殻の前方に位置する部分に設けられ、前記経穴の聴会を刺激する第１磁気刺激部と、前記フック部において前記耳殻の後方に位置する部分に設けられ、前記経穴の完骨を刺激する第２磁気刺激部と、を備えていてもよい。にしてもよい。
この構成によれば、聴会を刺激する第１磁気刺激部と、完骨を刺激する第２磁気刺激部と、を備えているため、聴会及び完骨を磁気により同時に刺激することができ美容効果をより顕著に得ることができる。
【００１０】
また、本発明に係る美容機器において、前記フック部のうち、前記磁気刺激部が設けられている部分には、前記フック部を前記耳殻に装着した状態で使用者側に向かって突出する突起部が設けられていてもよい。
この構成によれば、磁気刺激部をより使用者側に接近させることができるため、磁気による美容効果をより高めることができる。また、突起部を介して経穴を押圧することもできることで、経穴に対して指圧効果を与えることができ、更なる美容効果を得ることができる。
【００１１】
また、本発明に係る美容機器において、前記フック部は、変形可能に構成されていてもよい。
この構成によれば、フック部が変形可能に構成されているため、フック部の形状を耳殻の形状に合わせて変形させることで、フィット感を向上させることができる。また、経穴の位置に合わせてフック部を変形させることで、経穴を効果的に刺激することができる。
【００１２】
また、本発明に係る美容機器において、前記フック部には、イヤホンを着脱可能に保持するイヤホン保持部が設けられていてもよい。
この構成によれば、イヤホンを保持するイヤホン保持部を備えているため、音楽等を聞きながら、経穴を刺激することができる。また、イヤホン保持部にイヤホンが着脱可能とされているため、イヤホンを使用しない場合はイヤホンを取り外した状態で使用することができる。したがって、機会や時間にとらわれることなく美容効果を得ることができる。
【発明の効果】
【００１３】
本発明によれば、耳殻周囲の経穴を刺激し、手軽に美容効果を得ることができる。
【図面の簡単な説明】
【００１４】
【図１】本発明の第１実施形態におけるイヤホンフックを耳殻に装着した状態を示す側面図である。
【図２】図１に示すイヤホンフックを前方から見た斜視図である。
【図３】図１に示すイヤホンフックを後方から見た斜視図である。
【図４】図１に示すイヤホンフックの側面図である。
【図５】耳殻の周囲に位置する経穴を示す図である。
【図６】本発明の第２実施形態におけるイヤホンフックを後方から見た斜視図である。
【図７】図６に示すイヤホンフックの側面図である。
【図８】図６に示すイヤホンフックを、第１装着パターンで耳殻に装着した状態を示す側面図である。
【図９】図６に示すイヤホンフックを、第２装着パターンで耳殻に装着した状態を示す側面図である。
【図１０】本発明の第３実施形態におけるイヤホンフックの側面図である。
【図１１】図１０に示すイヤホンフックを後方から見た斜視図である。
【図１２】図１０に示すイヤホンフックに第１装着パターンで耳殻に装着した状態を示す側面図である。
【図１３】図１０に示すイヤホンフックに第２装着パターンで耳殻に装着した状態を示す側面図である。
【発明を実施するための形態】
【００１５】
次に、本発明の実施形態を図面に基づいて説明する。
（第１実施形態）
図１は、第１実施形態におけるイヤホンフック１０Ａを耳殻に装着した状態を示す側面図である。図２はイヤホンフック１０Ａを前方から見た斜視図である。図３はイヤホンフック１０Ａを後方から見た斜視図である。図４はイヤホンフック１０Ａの側面図である。
図１〜図４に示すように、イヤホンフック（美容機器）１０Ａは、イヤホン２００を耳殻１００に保持させつつ、耳殻１００の周囲に位置する経穴に対して刺激を与えるものである。なお、以下で説明する前後上下左右等の向きは、特に記載がなければイヤホンフック１０Ａを使用者に装着した状態での向きとする。また、本実施形態のイヤホンフック１０Ａは、左右両側の耳殻１００に対してそれぞれ対になって装着される。但し、各イヤホンフック１０Ａは、それぞれ同様の構成であるため、以下の説明では、一方（使用者の左側）の耳殻１００に装着されるイヤホンフック１０Ａについて主に説明する。
【００１６】
なお、図２示すように、イヤホン２００は、ケーブル２０１の先端部を保持する円柱状のケーブル保持部２０２と、ケーブル保持部２０２に対して拡大されるとともに、図示しないスピーカが内蔵されたスピーカ筐体２０３と、を有している。
【００１７】
図５は、耳殻１００の周囲に位置する経穴を示す図である。
本実施形態のイヤホンフック１０Ａは、図５に示す耳殻１００の周囲に位置する経穴のうち、主に聴会Ｐ１及び完骨Ｐ２に対して刺激を与える。聴会Ｐ１は、耳珠１１０の前方に位置する経穴である。完骨Ｐ２は、耳殻１００の後方（乳様突起の近傍）に位置する経穴である。
【００１８】
図１〜図４に示すように、イヤホンフック１０Ａは、フック部１１と、磁気刺激部１８，１９と、イヤホン保持部１３と、を備えている。フック部１１は、全体としてＪ字状に湾曲して形成されている。フック部１１は、使用者の耳殻１００の周囲を回り込むようにして、耳殻１００に着脱可能に装着される（図１参照）。具体的に、フック部１１は、耳殻１００に装着された状態で耳殻１００を前方から支持する前側サポート１４と、耳殻１００を後方から支持する後側サポート１５と、を備えている。
【００１９】
前側サポート１４は、左右方向から見た側面視において、前方に向けて突の円弧状に形成されている。前側サポート１４は、耳殻１００の前方に回り込み、耳殻１００の前方において、頭部表面１０１上を上下方向に延在している（図１参照）。前側サポート１４の下端部は、例えば上述した聴会Ｐ１に近接又は当接する位置に配置される。また、前側サポート１４の下端部には、前方に向けて膨出する前側タブ部１４ｔが形成されている。前側タブ部１４ｔは、左右方向から見た側面視で半円形状に形成されている。
【００２０】
図１〜図４に示すように、後側サポート１５は、後方に向けて突の円弧状に形成されている。後側サポート１５は、前側サポート１４の上端部から後方に向けて延在した後、下方に向けて延在している。これにより、後側サポート１５は、耳たぶ１０２の内側（左右方向における頭部表面１０１と耳たぶ１０２との間）を通って耳殻１００の上方から後方に回り込んでいる。後側サポート１５の下端部は、例えば上述した完骨Ｐ２に近接又は当接する位置に配置される。後側サポート１５の下端部には、前方に向けて膨出する後側タブ部１５ｔが形成されている。後側タブ部１５ｔは、左右方向から見た側面視で半円形状に形成されている。後側タブ部１５ｔは、耳たぶ１０２の内側において耳殻１００に後方から近接又は当接している。
【００２１】
このようなフック部１１は、例えば金属製のワイヤ等の芯材が樹脂材料やゴム系材料等の被覆材にモールドされてなり、使用者の耳殻１００の大きさや形状に合わせて変形可能に構成されている。なお、フック部１１は、例えば前側タブ部１４ｔと後側タブ部１５ｔとの間の領域を変形可能に形成しつつ、前側タブ部１４ｔ及び後側タブ部１５ｔを、前側タブ部１４ｔと後側タブ部１５ｔとの間の領域の材料よりも硬質な材料で形成してもよい。
【００２２】
磁気刺激部１８，１９は、前側サポート１４に設けられた第１磁気刺激部１８と、後側サポート１５に設けられた第２磁気刺激部１９と、を備えている。本実施形態において、各磁気刺激部１８，１９は、Ｎｄが２９〜３２％、Ｄｙ０．８〜１．２％、Ａｌ０．２〜０．４％、Ｂ１．０〜１．２％、Ｆｅ６４〜６９％、Ｎｂ０．５〜１．０％等を含む磁性材料により構成されている。各磁気刺激部１８，１９は、例えば５０ｍＴ程度の磁束密度を有していることが好ましい。
【００２３】
第１磁気刺激部１８は、前側サポート１４の前側タブ部１４ｔ内に埋設され、その少なくとも一部が頭部表面１０１に対向する面（前側タブ部１４ｔの内面）上に露出している。第１磁気刺激部１８は、聴会Ｐ１の周囲に磁界を形成し、聴会Ｐ１に対して磁気による刺激を与える。
第２磁気刺激部１９は、後側サポート１５の後側タブ部１５ｔ内に埋設され、その少なくとも一部が頭部表面１０１に対向する面（後側タブ部１５ｔの内面）上に露出している。第２磁気刺激部１９は、完骨Ｐ２の周囲に磁界を形成し、完骨Ｐ２に対して磁気による刺激を与える。なお、各磁気刺激部１８，１９は、聴会Ｐ１及び完骨Ｐ２に対して十分な刺激を与えるだけの磁力があれば、サポート１４，１５内に全体が埋設されていても構わない。
【００２４】
同一のイヤホンフック１０Ａにおいて、各磁気刺激部１８，１９は、左右方向の内側を向く磁極が同一となっている。また、左右一対のイヤホンフック１０Ａ間において、第１磁気刺激部１８同士及び第２磁気刺激部１９同士は、左右方向の内側を向く磁極が異なっている。これにより、各磁気刺激部１８，１９から延びる磁力線は、左右一対のイヤホンフック１０Ａ間で閉ループをなす。
【００２５】
図２、図３に示すように、イヤホン保持部１３は、挿入部２１と、ケーブル案内溝２２と、を備えている。
【００２６】
挿入部２１は、前側サポート１４の下部に形成されている。挿入部２１は、上下方向に延びる溝状に形成されている。具体的に、挿入部２１は、ケーブル保持部２０２が着脱可能に嵌め込まれる保持孔２１ａと、保持孔２１ａと前側サポート１４の外周面上とを連通させるスリット２１ｂと、を備えている。
保持孔２１ａ内には、スピーカ筐体２０３を下向きにした状態でケーブル保持部２０２が下方又は前方（スリット２２ｂ側）から嵌め込まれる。
【００２７】
ケーブル案内溝２２は、フック部１１において、前側サポート１４の上部から後側サポート１５の上部に至る範囲に亘ってフック部１１の延在方向に連続して形成されている。ケーブル案内溝２２は、前端部において挿入部２１（保持孔２１ａ）内に連通している。ケーブル案内溝２２は、ケーブル保持部２０２から引き出されたケーブル２０１を内側に収容し、耳殻１００の上方を通してケーブル２０１を耳殻１００の前方から後方に向けて配索する。
【００２８】
上述したイヤホンフック１０Ａを使用する場合には、例えばまずイヤホン保持部１３にイヤホン２００を装着する。具体的には、スピーカ筐体２０３を下向きにした状態でケーブル保持部２０２を下方又は前方から保持孔２１ａ内に嵌め込む。その後、ケーブル保持部２０２から引き出されたケーブル２０１をケーブル案内溝２２内に収容する。
続いて、イヤホンフック１０Ａのフック部１１を使用者の耳殻１００の前方から後方に回り込むように装着する。このとき、前側サポート１４及び後側サポート１５を把持し、耳殻１００の形状に合わせてフック部１１を変形させながら、フック部１１を耳殻１００に装着する。その後、スピーカ筐体２０３を外耳道内にセットする。これにより、イヤホン２００がイヤホンフック１０Ａを介して耳殻１００に装着される。
【００２９】
ここで、イヤホンフック１０Ａの装着状態において、頭部表面１０１上のうち、耳殻１００に対して前方に位置する部分に、フック部１１の前側サポート１４が配置される。一方、耳殻１００に対して後方に位置する部分に、後側サポート１５が配置される。これにより、第１磁気刺激部１８が聴会Ｐ１に近接又は当接する位置に配置され、第２磁気刺激部１９が完骨Ｐ２に近接又は当接する位置に配置される。
【００３０】
すると、第１磁気刺激部１８から発生する磁界が聴会Ｐ１に作用するとともに、第２磁気刺激部１９から発生する磁界が完骨Ｐ２に作用することで、聴会Ｐ１及び完骨Ｐ２に対して磁気等による刺激が与えられる。これにより、例えば血流促進によるリフトアップ等の美容効果を得ることができる。
特に、本実施形態では、フック部１１を耳殻１００に装着するのみで、聴会Ｐ１及び完骨Ｐ２を刺激することができるので、いわゆる「ながら美容」を手軽に行うことができる。
また、ツボ刺激物質がイヤホン自体に設けられた従来の構成と異なり、機会や時間にとらわれることなく美容効果を得ることができる。
【００３１】
本実施形態では、聴会Ｐ１を刺激する第１磁気刺激部１８と、完骨Ｐ２を刺激する第２磁気刺激部１９と、を備えているため、聴会Ｐ１及び完骨Ｐ２を磁気により同時に刺激することができ美容効果をより顕著に得ることができる。
【００３２】
また、本実施形態のイヤホンフック１０Ａは、イヤホン２００を保持するイヤホン保持部１３を備えているため、音楽等を聞きながら、耳殻１００周囲の経穴を刺激することができる。また、イヤホン２００が着脱可能とされているため、イヤホン２００を使用しない場合はイヤホン２００を取り外した状態で使用することができる。したがって、機会や時間にとらわれることなく美容効果を得ることができる。
【００３３】
さらに、本実施形態では、フック部１１が変形可能に構成されているため、フック部１１の形状を耳殻１００の形状に合わせて変形させることで、フィット感を向上させることができる。また、聴会Ｐ１及び完骨Ｐ２の位置に合わせてフック部１１を変形させることで、聴会Ｐ１及び完骨Ｐ２を効果的に刺激することができる。
【００３４】
（第２実施形態）
次に、本発明に係る美容機器の第２実施形態について説明する。
図６は、第２実施形態におけるイヤホンフック１０Ｂを後方から見た斜視図である。図７は、イヤホンフック１０Ｂの側面図である。なお、以下の説明では、上述した第１実施形態と同様の構成には、同一の符号を付して説明を省略する場合がある。
図６、図７に示すように、イヤホンフック（美容機器）１０Ｂは、フック部３１と、磁気刺激部１８，１９と、イヤホン保持部１３と、を備えている。
【００３５】
フック部３１は、前側サポート３４と、後側サポート３５と、後側サポート３５の下端部から上方に向かって延びるサポートアーム３６と、を備えている。
後側サポート３５の下端部には、ジョイント部３７が設けられている。ジョイント部３７は、各サポート３４，３５及びサポートアーム３６よりも硬質な材料により構成されている。
【００３６】
サポートアーム３６は、ジョイント部３７から上方に向けて延在している。サポートアーム３６は、各サポート３４，３５と同様に、金属製のワイヤ等の芯材が樹脂材料やゴム系材料等の被覆材にモールドされてなり、使用者の耳殻１００の形状に合わせて変形可能とされている。この場合、サポートアーム３６は、ジョイント部３７周りに変形することで、例えば後側サポート３５に対して前後方向で接近又は離間する。
【００３７】
第１磁気刺激部１８は、サポートアーム３６の上部に埋設されている。第２磁気刺激部１９は、後側サポート３５の下端部に埋設されている。また、フック部１１（サポートアーム３６及び後側サポート３５）のうち磁気刺激部１８，１９が埋設されている部分には、左右方向の内側（使用者側）に向けて突出する突起部３８，３９がそれぞれ設けられている。突起部３８，３９は、例えば円錐台形状に形成されている。上述した各磁気刺激部１８，１９は、突起部３８，３９の頂部でそれぞれ露出している。
【００３８】
図８はイヤホンフック１０Ｂを第１装着パターンで耳殻１００に装着した状態を示す側面図である。図９は、イヤホンフック１０Ｂを第２装着パターンで耳殻１００に装着した状態を示す側面図である。
本実施形態のイヤホンフック１０Ｂは、図８に示す第１装着パターンと、図９に示す第２装着パターンと、の何れかにより耳殻１００に装着することが可能である。
図８に示す第１装着パターンでイヤホンフック１０Ｂを装着する場合には、サポートアーム３６を耳殻１００に対して前側に変形させた状態で、上述した第１実施形態と同様にフック部３１を耳殻１００に装着する。その後、サポートアーム３６を後方に向けて変形させる。これにより、前側サポート３４及びサポートアーム３６と、後側サポート３５と、の間に耳殻１００が挟持される。この場合、サポートアーム３６の第１磁気刺激部１８は、聴会Ｐ１に近接又は当接する。一方、後側サポート３５の第２磁気刺激部１９は、完骨Ｐ２に近接又は当接する。
【００３９】
図９に示す第２装着パターンでイヤホンフック１０Ｂを装着する場合には、サポートアーム３６を耳殻１００に対して後側に変形させた状態で、上述した第１実施形態と同様にフック部３１を耳殻１００に装着する。このとき、後側サポート３５と耳殻１００との間にサポートアーム３６を配置する。これにより、耳殻１００を前方に向けて付勢する付勢力（復元力）がサポートアーム３６に作用した状態で、フック部３１が耳殻１００に装着される。この場合、各磁気刺激部１８，１９は、ともに完骨Ｐ２の近傍に配置される。
【００４０】
本実施形態によれば、上述した第１実施形態と同様の作用効果を奏することに加え、サポートアーム３６によって耳殻１００を保持できるので、イヤホンフック１０Ｂを耳殻１００に対してより強固に装着できる。これにより、耳殻１００に対するイヤホンフック１０Ｂの位置ずれを抑制できる。
また、フック部３１のうち、磁気刺激部１８，１９が埋設されている部分に突起部３８，３９が設けられているため、磁気刺激部１８，１９をより使用者側に接近させることができるため、磁気による美容効果をより高めることができる。また、突起部３８，３９を介して聴会Ｐ１及び完骨Ｐ２を押圧することもできるため、聴会Ｐ１及び完骨Ｐ２に対して指圧効果を与えることができ、更なる美容効果を得ることができる。
【００４１】
（第３実施形態）
次に、本発明に係る美容機器の第３実施形態について説明する。
図１０は、第３実施形態におけるイヤホンフック１０Ｃの側面図である。図１１は、第３実施形態におけるイヤホンフック１０Ｃを後方から見た斜視図である。図１２は、イヤホンフック１０Ｃを第１装着パターンで耳殻１００に装着した状態を示す側面図である。図１３は、イヤホンフック１０Ｃを第２装着パターンで耳殻１００に装着した状態を示す側面図である。なお、以下の説明では、上述した各実施形態と同様の構成には、同一の符号を付して説明を省略する場合がある。
図１０、図１１に示すイヤホンフック（美容機器）１０Ｃにおいて、フック部５１は、前側サポート５４と、後側サポート５５と、を備えている。図１２、図１３に示すように、前側サポート５４の下端部は、イヤホンフック１０Ｃが使用者に装着された状態において、耳珠１１０よりも下方に位置している。前側サポート５４の下端部には、左右方向の内側（使用者側）に向けて突出する突起部５２が設けられている。この突起部５２内には第１磁気刺激部１８が埋設されている。前側サポート５４の下端部には、フック部５１よりも硬質な材料からなるベース部５６が設けられている。
後側サポート５５の下端部には、左右方向の内側に向けて突出する突起部５３が設けられている。この突起部５３内には第２磁気刺激部１９が埋設されている。
【００４２】
図１１に示すように、イヤホン保持部６０の挿入部６１は、上述したベース部５６を貫通する保持孔６１ａと、保持孔６１ａとベース部５６の内面上とを連通させるスリット６１ｂと、を有している。
保持孔６１ａは、後方に向かうに従い上方に向けて延びている。保持孔６１ａ内には、イヤホン２００のケーブル保持部２０２が例えば後斜め上方から挿入される。
【００４３】
イヤホン保持部６０のケーブル案内溝６２は、フック部５１の外周部においてフック部５１の延在方向に沿って形成されている。具体的に、ケーブル案内溝６２は、前側サポート５４の下端部から後側サポート５５における上下方向の中間部分に至る範囲に亘って形成されている。
【００４４】
本実施形態のイヤホンフック１０Ｃは、図１２に示す第１装着パターンと、図１３に示す第２装着パターンと、の何れかにより耳殻１００に装着することが可能である。
図１２に示す第１装着パターンでイヤホンフック１０Ｃを装着する場合には、まず挿入部６１にケーブル保持部２０２を挿入した状態で、フック部５１を耳殻１００に装着する。続いて、スピーカ筐体２０３を外耳道内にセットする。これにより、ケーブル２０１が挿入部６１から直接下方に垂らされた状態で、イヤホン２００がイヤホンフック１０Ｃを介して耳殻１００に装着される。
図１３に示す第２装着パターンでイヤホンフック１０Ｃを装着する場合には、第１装着パターンでイヤホンフック１０Ｃを装着した後、ケーブル２０１をケーブル案内溝６２内に収容する。これにより、ケーブル２０１が耳殻１００を後側に回り込んだ状態で、イヤホン２００がイヤホンフック１０Ｃを介して耳殻１００に装着される。
【００４５】
なお、本発明の技術範囲は上述した実施形態に限定されるものではなく、本発明の趣旨を逸脱しない範囲において種々の変更を加えることが可能である。
例えば上述した実施形態では、磁気刺激部１８，１９によって聴会Ｐ１及び完骨Ｐ２を刺激するようにしたが、これに限られない。耳殻１００の周囲に位置する経穴であれば、聴会Ｐ１及び完骨Ｐ２以外の経穴を刺激しても構わない。
上述した実施形態では、磁気刺激部１８，１９が二つ設けられた構成について説明したが、これに限らず、磁気刺激部１８，１９の数は適宜設計変更が可能である。
【００４６】
上述した実施形態では、本発明の美容機器としてイヤホン２００が着脱可能なイヤホンフックを例にして説明したが、これに限られない。例えばヘッドホンや眼鏡、マスク、アクセサリー等、耳殻１００に装着可能なものに本発明を適用することが可能である。
また、磁気刺激部１８，１９は、上述した材料に加え、ゲルマニウムや、マグネシウム、チタン、ヘマタイト、トルマリン等を含んでいてもよい。ゲルマニウムやマグネシウム、チタンを磁気刺激部１８，１９に含有することで、これらの材料から発生するマイナスイオンによって更なる血流促進を図ることができる。また、ヘマタイトを磁気刺激部１８，１９に含有することで、更なる血流促進を図ることができる。さらに、トルマリンを磁気刺激部１８，１９に含有することで、トルマリンから発生するマイナスイオンや熱、トルマリンから溶出するミネラルによって更なる血流促進を図ることができる。
【００４７】
その他、本発明の趣旨を逸脱しない範囲で、上記した実施の形態における構成要素を周知の構成要素に置き換えることは適宜可能である。
【符号の説明】
【００４８】
１０Ａ，１０Ｂ，１０Ｃ…イヤホンフック（美容機器）
１１…フック部
１３，６０…イヤホン保持部
１８…第１磁気刺激部
１９…第２磁気刺激部
３８，３９，５２，５３…突起部
１００…耳殻
２００…イヤホン
【図１】
2017000176.tif 000003
【図２】
2017000176.tif 000004
【図３】
2017000176.tif 000005
【図４】
2017000176.tif 000006
【図５】
2017000176.tif 000007
【図６】
2017000176.tif 000008
【図７】
2017000176.tif 000009
【図８】
2017000176.tif 000010
【図９】
2017000176.tif 000011
【図１０】
2017000176.tif 000012
【図１１】
2017000176.tif 000013
【図１２】
2017000176.tif 000014
【図１３】
2017000176.tif 000015